(57)【要約】【課題】  完全被覆タイプの超音波カッター用安全カバーを提供し、使用時と保管時の安全性の確保と、使用時の操作性の向上を図る。【解決手段】  振動子と振動を伝達するためのホーンとが設けられたカッター本体と、ホーンを覆うように設けられたホーンカバー部と、ホーンによって保持されカッター本体からの超音波振動を受けて被切断物を切断するカッター刃とからなる超音波カッターに適用される超音波カッター用安全カバーにおいて、超音波カッター用安全カバーはカッター刃を常時被覆し、端面にカッター刃の相対的な出入りを許容する開口部が形成されたカバー本体と、カバー本体をカッター刃の被覆方向に付勢する付勢手段と、カバー本体の上記カッター本体からの脱落を防止する係止構造とを具備したもの。【選択図】  図３
2007259993.tif 000002
【特許請求の範囲】
【請求項１】
内部に超音波振動を発生させる振動子と該振動子による振動を伝達するためのホーンとが設けられたカッター本体と、
上記ホーンを覆うように設けられホーンへの不用意な接触を防止するホーンカバー部と、
上記ホーンによって保持され上記カッター本体からの超音波振動を受けて被切断物を切断するカッター刃と、
を具備した超音波カッターに対して適用される超音波カッター用安全カバーにおいて、
上記超音波カッター用安全カバーは上記カッター刃を常時被覆し、端面にカッター刃の相対的な出入りを許容する開口部が形成されたカバー本体と、
上記カバー本体をカッター刃の被覆方向に付勢する付勢手段と、
上記カバー本体の上記カッター本体からの脱落を防止する係止構造と、
を具備したことを特徴とする超音波カッター用安全カバー。
【請求項２】
請求項１に記載の超音波カッター用安全カバーにおいて、
上記カバー本体は上記カッター本体に対して外嵌めされるように設けられており、
上記係止構造はカバー本体に対して設けられる内側に張り出した係止爪と、
上記カッター本体に対して設けられる外側に張り出した係止凸部と、
を具備することによって構成されていることを特徴とする超音波カッター用安全カバー。
【請求項３】
請求項１に記載の超音波カッター用安全カバーにおいて、
上記カバー本体は上記カッター本体に対して内嵌めされるように設けられており、
上記係止構造はカバー本体に対して設けられる外側に張り出した係止爪と、
上記カッター本体に対して設けられる内側に張り出した係止凸部と、
を具備することによって構成されていることを特徴とする超音波カッター用安全カバー。
【請求項４】
請求項１〜請求項３の何れかに記載の超音波カッター用安全カバーにおいて、
上記カッター本体には上記振動子を駆動するための駆動スイッチが設けられており、
上記カバー本体をカッター本体側に押し込むことによって上記駆動スイッチが自動的にＯＮ状態になるように構成したことを特徴とする超音波カッター用安全カバー。
【請求項５】
請求項１〜請求項４の何れかに記載の超音波カッター用安全カバーにおいて、
上記カバー本体とカッター本体との間には、不使用時における不用意なカバー本体の移動を防止する安全ロック機構が設けられていることを特徴とする超音波カッター用安全カバー。
【発明の詳細な説明】
【技術分野】
【０００１】
本発明は、超音波振動を利用して被切断物を切断する超音波カッターに対して適用される超音波カッター用安全カバーに係り、特に安全性と操作性を向上させた完全被覆タイプの超音波カッター用安全カバーに関するものである。
【背景技術】
【０００２】
内部に超音波振動を発生させる振動子と振動を伝達するためのホーンが設けられたカッター本体と、上記ホーンを覆うように設けられホーンへの不用意な接触を防止するホーンカバー部と、上記ホーンによって保持され上記カッター本体からの超音波振動を受けて被切断物を切断するカッター刃と、超音波カッターを駆動するために必要となる電気を供給するための電源コード部とを具備した超音波カッターが従来から使用されている。
上記超音波カッターは樹脂材等の被切断物を対象として主に使用されており、上記カッター刃の形状はこれらの被切断物の切断に適した鋭角な楔型形状になっている。したがって、不使用時には鋭利なカッター刃を被覆する着脱式の安全カバーが取り付けられており、該安全カバーによって保管時の超音波カッターの安全性が保たれている。
【０００３】
従来の超音波カッター用の安全カバーとしては、下記の特許文献１に示すような安全カバーが存在していた。この安全カバーには筒状のカバー本体の周面に被切断物である紙等をカバー本体内に引き込むための切欠き溝が形成されている。したがって、この超音波カッターは安全カバーを装着した状態で使用でき、上記切欠き溝からカバー本体内部に引き込んだ被切断物がカッター刃に作用することによって被切断物が切断できるようになっている。
又、被切断物の切断にあたっては、片手で被切断物を保持し、他方の手で超音波カッターを持つという不安定な姿勢で作業を行わなければならなかった。又、スリット状の狭い上記切欠き溝に被切断物の切断始端部を挿し込むようにしてカバー本体内に被切断物の一部を引き込ませるという作業は困難であった。さらに上記不安定な姿勢で綺麗に薄手の被切断物を切断するのは困難であり、このような場合には安全カバーを取り外してカッター刃を剥き出しにした状態にし、作業テーブル上に水平に被切断物を設置して切断作業を行うこともあった。
【０００４】
しかしこのような作業形態では切欠き溝に挿入することができる被切断物しか切断することができず、さらにこのような作業形態では、作業台に被切断物を置いて作業をすることができないという問題があった。
又、着脱式の安全カバーは作業時に刃が露出しているため危険であり、刃折れ等によってカッター刃が飛び散ったり或いは落下し、思わぬ怪我を招くおそれが指摘されていた。さらに着脱式の安全カバーは保管時において作業者の意思によってカッター本体から取り外しておくことができるため紛失のおそれがあるし、保管時の安全性の確保の点でも改善が求められていた。
又、従来の超音波カッターは、駆動するためのスイッチを押すことにより動作を行うため、駆動スイッチを押しながら作業する必要があり、常にスイッチを押さなくても作業ができる構造の開発も望まれていた。
【０００５】
【特許文献１】特開平８−２６７３９４号公報
【発明の開示】
【発明が解決しようとする課題】
【０００６】
上記背景技術及び背景技術が抱えていた問題点を踏まえて本発明が解決しようとする課題を整理すると、作業者の意思や不注意等によって容易に取り外すことのできない完全被覆タイプの超音波カッター用安全カバーを提供することであり、加えて使用時の超音波カッターの操作性を向上させ、使用時及び不使用時における超音波カッターの一層の安全性の確保を図ることである。
【０００７】
本発明はこのような点に基づいてなされたもので、その目的とするところは、使用時、あるいは使用していない状態にかかわらず、常時カッター刃を被覆しておくことができ、上記カッター刃を被覆した状態で切断作業を行うことができ、加えて駆動スイッチのＯＮ、ＯＦＦの切り換えが容易で、不用意な操作によるカッター刃の露出が防止される安全性と操作性を兼ね備えた超音波カッター用安全カバーを提供することにある。
【課題を解決するための手段】
【０００８】
上記目的を達成するべく本願発明の請求項１による超音波カッター用安全カバーは、内部に超音波振動を発生させる振動子と該振動子による振動を伝達するためのホーンとが設けられたカッター本体と、上記ホーンを覆うように設けられホーンへの不用意な接触を防止するホーンカバー部と、上記ホーンによって保持され上記カッター本体からの超音波振動を受けて被切断物を切断するカッター刃と、を具備した超音波カッターに対して適用される超音波カッター用安全カバーにおいて、上記超音波カッター用安全カバーは上記カッター刃を常時被覆し、端面にカッター刃の相対的な出入りを許容する開口部が形成されたカバー本体と、上記カバー本体をカッター刃の被覆方向に付勢する付勢手段と、上記カバー本体の上記カッター本体からの脱落を防止する係止構造と、を具備したことを特徴とするものである。
又、請求項２による超音波カッター用安全カバーは、請求項１に記載の超音波カッター用安全カバーにおいて、上記カバー本体は上記カッター本体に対して外嵌めされるように設けられており、上記係止構造はカバー本体に対して設けられる内側に張り出した係止爪と、上記カッター本体に対して設けられる外側に張り出した係止凸部と、を具備することによって構成されていることを特徴とするものである。
又、請求項３による超音波カッター用安全カバーは、請求項１に記載の超音波カッター用安全カバーにおいて、上記カバー本体は上記カッター本体に対して内嵌めされるように設けられており、上記係止構造はカバー本体に対して設けられる外側に張り出した係止爪と、上記カッター本体に対して設けられる内側に張り出した係止凸部と、を具備することによって構成されていることを特徴とするものである。
又、請求項４による超音波カッター用安全カバーは、請求項１〜３のいずれかに記載の超音波カッター用安全カバーにおいて、上記カッター本体には上記振動子を駆動するための駆動スイッチが設けられており、上記カバー本体をカッター本体側に押し込むことによって上記駆動スイッチが自動的にＯＮ状態になるように構成したことを特徴とするものである。
又、請求項５による超音波カッター用安全カバーは、請求項１〜４のいずれかに記載の超音波カッター用安全カバーにおいて、上記カバー本体とカッター本体との間には、不使用時における不用意なカバー本体の移動を防止する安全ロック機構が設けられていることを特徴とするものである。
【発明の効果】
【０００９】
したがって、本発明による超音波カッター用安全カバーによると、内部に超音波振動を発生させる振動子と該振動子による振動を伝達するためのホーンとが設けられたカッター本体と、上記ホーンを覆うように設けられホーンへの不用意な接触を防止するホーンカバー部と、上記ホーンによって保持され上記カッター本体からの超音波振動を受けて被切断物を切断するカッター刃と、を具備した超音波カッターに対して適用される超音波カッター用安全カバーにおいて、上記超音波カッター用安全カバーは上記カッター刃を常時被覆し、端面にカッター刃の相対的な出入りを許容する開口部が形成されたカバー本体と、上記カバー本体をカッター刃の被覆方向に付勢する付勢手段と、上記カバー本体の上記カッター本体からの脱落を防止する係止構造と、を具備した構成になっているので、使用時及び不使用時を通じてカッター刃は常時被覆されているから、不注意等による怪我の発生や刃折れによるカッター刃の飛散や落下が防止され、安全性が確保されている。また付勢手段の採用によってカッター本体を被切断物側に押し込むだけの操作でカッター刃をカバー本体に対して相対的に突出させて被切断物に作用させることができ、操作性の向上も図られる。又、厚みのある被切断対象物に対応するべくカッター刃を長くしても、非使用時には超音波カッター用安全カバー内に隠れているので何等の問題もない。つまり、厚みのある被切断対象物に対して効果的に対応することができるものである。
又、上記カバー本体が上記カッター本体に対して外嵌めされるように設けられており、上記係止構造がカバー本体に対して設けられる内側に張り出した係止爪と、上記カッター本体に対して設けられる外側に張り出した係止凸部とを具備することによって構成されている場合には、カバー本体内の空間が大きく取れるから付勢力の大きい線径及びコイル径の大きな圧縮コイルバネが使用できるようになる。又、カバー本体の移動ストロークが大きく取れるためカッター刃の相対的な突出量を増大させることが可能になる。
又、上記カバー本体が上記カッター本体に対して内嵌めされるように設けられており、上記係止構造がカバー本体に対して設けられる外側に張り出した係止爪と、上記カッター本体に対して設けられる内側に張り出した係止凸部とを具備することによって構成されている場合には、カバー本体の大きさがカッター本体に比べて小さくなるため切断加工部位が見易くなり、細かな切断作業が容易になる。
又、上記カッター本体には上記振動子を駆動するための駆動スイッチが設けられており、上記カバー本体をカッター本体側に押し込むことによって上記駆動スイッチが自動的にＯＮ状態になるように構成した場合には、常にスイッチを押しながらの作業を行なう必要がなくなり、煩わしい駆動スイッチのＯＮ、ＯＦＦ操作を意識することなく自動的に行うことができ、超音波カッターの操作性が向上する。
又、上記カバー本体とカッター本体との間に不使用時における不用意なカバー本体の移動を防止する安全ロック機構が設けられている場合には、作業者の不注意等によってカバー本体がカッター刃を露出させる方向に移動する事態が防止されるから不使用時における超音波カッターの安全性が向上する。
【発明を実施するための最良の形態】
【００１０】
以下、図１乃至図４に示す第１の実施の形態と、図５及び図６に示す第２の実施の形態と、図７及び図８に示す第３の実施の形態と、図９乃至図１１に示す第４の実施の形態を例に採って本発明の超音波カッター用安全カバー１等と、上記超音波カッター用安全カバー１の適用対象である超音波カッター１０１等の構成と作動態様について具体的に説明する。
（１）第１の実施の形態（図１〜図４参照）
本実施の形態に係る超音波カッター用安全カバー１の適用対象である超音波カッター１０１について最初に説明する。超音波カッター１０１はカッター本体１０３と、ホーンカバー部１０５と、カッター刃１０７とを具備している。カッター本体１０３は、図３（ｂ）に示すように、内部に超音波振動を発生させる振動子１０９とこの振動子１０９の先端に連結されたホーン１１０とを備えていて、手で握ることができる程度の太さの筒状をした部材で、その周面の一部には上記振動子１０９の駆動、停止を操作できる駆動スイッチ１１１が設けられており、カッター本体１０３の基端部１１３には、上記振動子１０９に電源を供給する電源コード１１５が接続されている。
【００１１】
ホーンカバー部１０５は、カッター本体１０３の先端部１１７に対して設けられ、ホーン１１０の外周を覆うような形状をした部材である。ホーンカバー部１０５は、ホーン１１０を手の接触からカバーする作用と、後述する付勢手段の一例である圧縮コイルバネ３を内側から支持する作用を併せ持っている。上記ホーン１１０は振動子１０９からの振動をスムーズに伝達するための構造である。又、ホーン１１０は、上記カッター刃１０７を保持する作用を持っている。
カッター刃１０７は先端に楔様の鋭角な刃先部１１９が形成された長尺な矩形平板状の部材である。又、上記のようにホーン１１０によってカッター刃１０７の基端側の一部が保持され、上記カッター本体１０３からの超音波振動を受けて被切断物Ｗを切断するようになっている。
尚、上記カッター刃１０７によって切断できる被切断物Ｗとしては、樹脂等の部材が一例として適用できる。
【００１２】
そしてこのような上記超音波カッター１０１の先端部１１７に対して本実施の形態に係る超音波カッター用安全カバー１が取り付けられている。超音波カッター用安全カバー１は上記カッター刃１０７を常時被覆し、端面１１にカッター刃１０７の相対的な出入りを許容する開口部５が形成されたカバー本体７と、上記カバー本体７をカッター刃１０７の被覆方向Ａに付勢する上述した付勢手段の一例である圧縮コイルバネ３と、上記カバー本体７の上記カッター本体１０３からの脱落を防止する係止構造９とを具備している。
【００１３】
上記開口部５は、一例としてカッター刃１０７の横断面形状により僅かに大きな形状の穴によって形成されており、該開口部５はカバー本体７の端面１１における中央部付近に形成されている。上記カバー本体７は上記カッター本体１０３に対して外嵌めされる一端が上記端面１１によって閉塞された筒状の部材である。又、上記端面１１と反対側のカバー本体７の筒胴部１３の周端縁には内側のカッター本体１０３側に張り出した一例として鉤状をした上記係止構造９の構成部材の一つである係止爪１５が設けられている。
【００１４】
又、上記カッター本体１０３の先端部１１７側の外周面には外側のカバー本体７側に張り出した一例として矩形断面形状をした上記係止構造９の他の構成部材である係止凸部１９が設けられている。又、カバー本体７の端面１１の内側には上記ホーンカバー部１０５に外嵌してカバー本体７の軸方向の移動を案内する筒状をした案内ボス１７が設けられている。又、上記圧縮コイルバネ３は上記ホーンカバー部１０５によって内周面が支持された状態で上記カッター刃１０７の先端部１１７と上記案内ボス１７とによって挟持されるようにして縮設されている。
【００１５】
次に超音波カッター１０１が切断作業に使用されていない（Ａ）通常時と、超音波カッター１０１が切断作業に使用されている（Ｂ）切断作業時に分けて本実施の形態に係る超音波カッター用安全カバー１の作動態様を説明する。
（Ａ）通常時（図３参照）
通常時は図３に示すようにカバー本体７は圧縮コイルバネ３からの付勢力を受けて図中矢印で示すカッター刃１０７の被覆方向Ａに向けて移動する。
尚、この状態では図示のようにカッター刃１０７の刃先部１１９はカバー本体７内に収容されているので作業者がカッター刃１０７に触れることによって生ずる怪我や刃折れによるカッター刃１０７の飛散や落下は防止されている。
又、この状態では図示のように係止爪１５が係止凸部１９に当接し、係止されているから、カバー本体７のカッター本体１０３からの脱落も防止されている。
【００１６】
（Ｂ）切断作業時（図４参照）
切断作業時は図４に示すようにカバー本体７の端面１１を被切断物Ｗに押し付けることによって、カバー本体７は圧縮コイルバネ３の付勢力に抗して図中矢印で示すカッター刃１０７の突出方向Ｂに向けて移動する。
尚、この状態では図示のようにカッター刃１０７の刃先部１１９はカバー本体７の端面１１から突出した状態になるため、被切断物Ｗに作用して被切断物Ｗの切断が実行される。
又、切断作業終了後は超音波カッター１０１を被切断物Ｗから引き離すことによって圧縮コイルバネ３の付勢力が作用して超音波カッター用安全カバー１は上記図３に示す通常時の状態に戻る。
【００１７】
（２）第２の実施の形態（図５、６参照）
本実施の形態に係る超音波カッター用安全カバー２１の適用対象である超音波カッター２０１について最初に説明する。超音波カッター２０１は上記超音波カッター１０１と同様、カッター本体２０３と、ホーンカバー部２１７と、カッター刃２０７とを具備している。カッター本体２０３は内部に超音波振動を発生させる振動子２０９とホーン２０５が設けられた手で握ることができる程度の太さの筒状をした部材である。
又、ホーンカバー部２１７にはコーン状の縮径部２２１と、細径部２２３とによって構成されている。又、上記カッター本体２０３の周面の一部には上記カッター本体１０３と同様、上記振動子２０９の駆動、停止を切り換える駆動スイッチ２１１が設けられており、カッター本体２０３の基端部２１３には、上記振動子２０９に電源を供給する電源コード２１５が接続されている。
【００１８】
上記ホーン２０５は上記カッター本体２０３のホーンカバー部２１７における細径部２２３よりも更に経の小さな筒状をした部材である。又、ホーン２０５は、上記カッター刃２０７を保持する作用を持っている。ホーンカバー部２１７は、上記ホーン２０５への不用意な接触を防止する作用と付勢手段の一例である圧縮コイルバネ２３を支持する作用を併せ持っている。
カッター刃２０７は上記カッター刃１０７と同様、先端に楔様の鋭角な刃先部２１９が形成された長尺な矩形平板状の部材である。
【００１９】
そしてこのような上記超音波カッター２０１のホーンカバー部２１７における細径部２２３に対して本実施の形態に係る超音波カッター用安全カバー２１が取り付けられている。超音波カッター用安全カバー２１は上記超音波カッター用安全カバー１と同様、開口部２５が形成されたカバー本体２７と、上記圧縮コイルバネ２３と、係止構造２９とを具備している。
【００２０】
カバー本体２７は上記ホーンカバー部２１７に対して内嵌めされる一端が端面３１によって閉塞された上記ホーンカバー部２１７よりも径の小さな筒状の部材である。又、上記端面３１と反対側のカバー本体２７の筒胴部３３の周端縁には外側のカッター本体２０３側に張り出した一例として鉤状をした係止構造２９の構成部材の一つである係止爪３５が設けられている。
又、上記ホーンカバー部２１７の細径部２２３の内周面には内側のカバー本体２７側に張り出した一例として矩形断面形状をした上記係止構造２９の他の構成部材である係止凸部３９が設けられている。
又、上記ホーンカバー部２１７の細径部２２３は上記カバー本体２７に外嵌しており、上記案内ボス１７と同様、カバー本体２７の軸方向の移動を案内する作用を担っている。
【００２１】
次に、超音波カッター２０１が（Ａ）通常時と、（Ｂ）切断作業時に分けて本実施の形態に係る超音波カッター用安全カバー２１の作動態様を説明する。
（Ａ）通常時（図５参照）
通常時は図５に示すようにカバー本体２７は圧縮コイルバネ２３からの付勢力を受けて図中矢印で示すカッター刃２０７の被覆方向Ａに向けて移動する。尚、この状態では図示のようにカッター刃２０７の刃先部２１９はカバー本体２７内に収容されているので作業者がカッター刃２０７に触れることによって生ずる怪我や刃折れによるカッター刃２０７の飛散や落下は防止されている。又、この状態では図示のように係止爪３５が係止凸部３９に当接し、係止されているから、カバー本体２７のホーンカバー部２１７からの脱落も防止されている。
【００２２】
（Ｂ）切断作業時（図６参照）
切断作業時は図６に示すようにカバー本体２７の端面３１を被切断物Ｗに押し付けることによって、カバー本体２７は圧縮コイルバネ２３の付勢力に抗して図中矢印で示すカッター刃２０７の突出方向Ｂに向けて移動する。
尚、この状態では図示のようにカッター刃２０７の刃先部２１９はカバー本体２７の端面３１から突出した状態になるため、被切断物Ｗに作用して被切断物Ｗの切断が実行される。
又、本実施の形態では細径部２２３の存在と、カバー本体２７の小型化とによって切断加工部位が見易くなるため、作業性が向上する。そして切断作業終了後は超音波カッター２０１を被切断物Ｗから引き離すことによって圧縮コイルバネ２３の付勢力が作用して超音波カッター用安全カバー２１は上記図５に示す通常時の状態に戻る。
【００２３】
（３）第３の実施の形態（図７、８参照）
本実施の形態に係る超音波カッター用安全カバー４１は基本的な構成については上記第１の実施の形態と同様であるので、ここでは上記第１の実施の形態と異なる構成に絞って説明する。即ち、本実施の形態では超音波カッター４０１におけるカッター本体４０３の先端部４１７の外周面の一部に凹陥部４２５を形成し、該凹陥部４２５内の駆動スイッチ４１１を設けている。
又、上記駆動スイッチ４１１の上方には上記凹陥部４２５の側壁部から水平に片持ち梁状に張り出したスイッチ作動片４２７が駆動スイッチ４１１のスイッチレバー４１２に対して接した状態で設けられている。
【００２４】
又、上記スイッチ作動片４２７の先端部上方には先下がり状態に傾斜している傾斜案内面４２９が形成されている。そして該傾斜案内面４２９に対して超音波カッター用安全カバー４１のカバー本体４７に設けられている係止爪５５が作用することによって以下述べるようにして駆動スイッチ４１１のＯＮ、ＯＦＦ状態が自動的に切り換わる。
以下、（Ａ）通常時と、（Ｂ）切断作業時に分けて、カッター本体４０３に対するカバー本体４７の移動と駆動スイッチ４１１のＯＮ、ＯＦＦの切換え動作の関係を説明する。
【００２５】
（Ａ）通常時（図７参照）
通常時は図７に示すようにカバー本体４７は圧縮コイルバネ４３からの付勢力を受けて図中矢印で示すカッター刃４０７の被覆方向Ａに向けて移動する。
尚、この状態では図示のように係止爪５５はスイッチ作動片４２７における傾斜案内面４２９には当接していないから、駆動スイッチ４１１のスイッチレバー４１２は上記スイッチ作動片４２７からの押圧を受けておらず、駆動スイッチ４１１はＯＦＦ状態である。
【００２６】
（Ｂ）切断作業時（図８参照）
切断作業時は図８に示すようにカバー本体４７の端面５１を被切断物Ｗに押し付けることによって、カバー本体４７は圧縮コイルバネ４３の付勢力に抗して図中矢印で示すカッター刃４０７の突出方向Ｂに向けて移動する。
尚、この状態では上記係止爪５５は傾斜案内面４２９によって案内されて、スイッチ作動片４２７の上面を滑るようにして該スイッチ作動片４２７の先端部を押し下げながら移動する。そしてスイッチ作動片４２７が下方に移動すると、下方に位置する駆動スイッチ４１１におけるスイッチレバー４１２が押されて駆動スイッチ４１１はＯＮ状態に自動的に切り換わる。
【００２７】
（４）第４の実施の形態（図９〜１１参照）
本実施の形態に係る超音波カッター用安全カバー６１は基本的な構成については上記第１の実施の形態と同様であるので、ここでは上記第１の実施の形態と異なる構成に絞って説明する。即ち、本実施の形態では超音波カッター６０１におけるカッター本体６０３の先端部６１７の外周面の一部に凹陥部６２５が形成されている。
【００２８】
又、上記凹陥部６２５の底面の一部は更に下方に凹陥されたバネ受け部６３１となっており、該バネ受け部６３１によって一例として圧縮コイルバネで構成される切換えバネ６３３の下端部が支持されている。又、該切換えバネ６３３の上方にはロック切換え片６２７における下端部が位置しており、上記切換えバネ６３３の上端面は該ロック切換え片６２７における下端部の先端と接している。又、上記ロック切換え片６２７の下端部は、上記切換えバネ６３３の上端部を内側から指示する構造である。
【００２９】
又、上記ロック切換え片６２７における上端部の先端には通常時と安全ロック時の切替ができる切替穴７５が設けられている。この切替穴７５は通常動作時に使用される切替穴７５−１とロック時に使用される切替穴７５−２とから構成されている。
尚、切替穴７５、凹陥部６２５、ロック切換え片６２７、バネ受け部６３１、切換えバネ６３３は安全ロック機構６３５の構成部材になっている。そして次に述べるように安全ロック機構６３５が作動することによって不使用時における不用意なカバー本体６７の移動が防止されるのである。
【００３０】
以下、自由にカバー本体６７が移動することができる（Ａ）移動可能時と、上記安全ロック機構６３５の安全ロック状態と安全ロック解除状態とを切り換える（Ｂ）安全ロック切換え時と、上記安全ロック機構６３５の安全ロック状態が形成された（Ｃ）安全ロック時に分けて、カッター本体６０３に対するカバー本体６７の移動と安全ロック機構６３５のロック、ロック解除の切換え動作の関係を説明する。
（Ａ）移動可能時（図９参照）
図３、４に示す第１の実施の形態と同様、通常時のカバー本体６７は圧縮コイルバネ６３からの付勢力を受けて図中矢印で示すカッター刃６０７の被覆方向Ａに向けて移動する。そしてこの状態ではカッター刃６０７の刃先部６１９はカバー本体６７内に収容されており、図３、４に示す第１の実施の形態と同様に係止爪により、カバー本体６７のカッター本体６０３からの脱落が防止されている。
一方、切断作業時はカバー本体６７の端面７１を被切断物Ｗに押し付けることによって、カバー本体６７は圧縮コイルバネ６３の付勢力に抗して図中矢印で示すカッター刃６０７の突出方向Ｂに向けて移動する。又、切断作業終了後は超音波カッター６０１を被切断物Ｗから引き離すことによって圧縮コイルバネ６３の付勢力が作用して通常時の状態に戻る。
【００３１】
（Ｂ）安全ロック切換え時（図１０参照）
図９に示す移動可能時の状態から図１１に示す安全ロック時の状態に切り換える場合には、カッター刃６０７が完全に被覆された状態の時に、図１０に示すようにカバー本体６７を矢印で示す右回転方向Ｃに回し、ロック切換え片６２７の上端部をカバー本体６７の内壁７９(切替穴７５−１と切替穴７５−２との間の内壁)に押し付けることにより、切換えバネ６３３が付勢力に抗して押し下げられ、更にカバー本体６７を矢印で示す右回転方向Ｃに回すことで、切替穴７５−２にロック切換え片６２７の上端部が移動し、切替えバネ６３３の付勢力により切替穴７５−２にロック切換え片６２７の上端部が嵌る。
一方、図１１に示す安全ロック時の状態から図９に示す移動可能時の状態に切り換える場合には、図１０に示すようにカバー本体６７を矢印と逆の左回転方向に回し、ロック切換え片６２７の上端部をカバー本体６７の内壁７９に押し付けることにより、切換えバネ６３３が付勢力に抗して押し下げられ、更にカバー本体６７を左回転方向に回すことで、切替穴７５−１にロック切換え片６２７の上端部が移動し、切替えバネ６３３の付勢力により切替穴７５−１にロック切換え片６２７の上端部が嵌る。
【００３２】
（Ｃ）安全ロック時（図１１参照）
図１１に示す安全ロック時の状態ではカバー本体６７は切替えバネ６３３の付勢力によって切替穴７５−２にはまり、係止された状態にある。
カバー本体６７が、外力等を受けてカッター刃６０７の被覆方向Ａ及び突出方向Ｂに移動しようとしても、ロック切換え片６２７の上端部が切替穴７５−２に嵌っているため、その進行はを妨げられ、それ以上の移動が防止されている。又、この状態でもカッター刃６０７の刃先部６１９はカバー本体６７内に収容されているから、カッター刃６０７に触れることによって生ずる怪我の発生や刃折れによるカッター刃６０７の飛散や落下は防止されている。
【００３３】
尚、本発明は上述した第１〜第４の実施の形態に限定されるものではない。
例えばカバー本体７の端面１１の形状は図１２（ａ）に示すような半球面形状に限らず、平面形状であってもよい。又、図１２（ｂ）に示すようにカバー本体７の端面１１の形状を曲面部８１と平面部８３を組み合わせた形状とすることも可能である。
又、図１２（ｂ）に示すカバー本体７の端面形状を採用する場合には、平面部８３を被切断物Ｗに平行に接地させた状態で接地面に対するカバー本体７の角度αが４０°〜９０°の範囲内になるように設定することが好ましい。
又、カバー本体７を透明ないし半透明の材料によって形成することも可能であり、このような材料を使用した場合には切断作業位置が更に明確になるため作業効率及び切断品質が向上する。
又、前記各実施の形態では超音波カッター用安全カバーの開口部の形状をカッター刃の形状に合わせて細長い長方形としているが、その形状についてはこれを特に限定するものではなく、例えば、円形、楕円形等であってもよい。
【産業上の利用可能性】
【００３４】
本発明は、超音波カッターの製造、使用分野等において利用でき、特に作業時及び保管時の安全性の確保と、作業時の操作性の向上を図りたい場合に利用可能性を有する。
【図面の簡単な説明】
【００３５】
【図１】本発明の第１の実施の形態を示す図で、超音波カッター用安全カバーを装着した超音波カッターの使用状態を示す斜視図である。
【図２】本発明の第１の実施の形態を示す図で、超音波カッター用安全カバーを装着した超音波カッターを示す側面図である。
【図３】本発明の第１の実施の形態を示す図で、図３（ａ）は超音波カッター用安全カバーを装着した超音波カッターの通常時の作動態様を示す平断面図、図３（ｂ）は超音波カッターの内部構造の一部を示す断面図である。
【図４】本発明の第１の実施の形態を示す図で、超音波カッター用安全カバーを装着した超音波カッターの切断作業時の作動態様を示す平断面図である。
【図５】本発明の第２の実施の形態を示す図で、超音波カッター用安全カバーを装着した超音波カッターの通常時の作動態様を示す側断面図である。
【図６】本発明の第２の実施の形態を示す図で、超音波カッター用安全カバーを装着した超音波カッターの切断作業時の作動態様を示す側断面図である。
【図７】本発明の第３の実施の形態を示す図で、超音波カッター用安全カバーを装着した超音波カッターの通常時の作動態様を示す側断面図である。
【図８】本発明の第３の実施の形態を示す図で、超音波カッター用安全カバーを装着した超音波カッターの切断作業時の作動態様を示す側断面図である。
【図９】本発明の第４の実施の形態を示す図で、図９（ａ）は超音波カッター用安全カバーを装着した超音波カッターの移動可能時の作動態様を示す平断面図、図９（ｂ）は超音波カッター用安全カバーを装着した超音波カッターの移動可能時の作動態様を示す一部外観図である。
【図１０】本発明の第４の実施の形態を示す図で、図１０（ａ）は超音波カッター用安全カバーを装着した超音波カッターの安全ロック切換え時の作動態様を示す平断面図、図１０（ｂ）は音波カッター用安全カバーを装着した超音波カッターの安全ロック切換え時の作動態様を示す一部外観図である。
【図１１】本発明の第４の実施の形態を示す図で、図１１（ａ）は超音波カッター用安全カバーを装着した超音波カッターの安全ロック時の作動態様を示す平断面図、図１１（ｂ）は超音波カッター用安全カバーを装着した超音波カッターの安全ロック時の作動態様を示す一部外観図である。
【図１２】本発明の第１の実施の形態を示す図で、カバー本体の端面形状を示す側面図（ａ）と、本発明の他の実施の形態を示す図で、カバー本体の端面形状を示す側面図（ｂ）である。
【符号の説明】
【００３６】
１  超音波カッター用安全カバー
３  圧縮コイルバネ（付勢手段）
５  開口部
７  カバー本体
９  係止構造
２１  超音波カッター用安全カバー
２３  圧縮コイルバネ（付勢手段）
２５  開口部
２７  カバー本体
２９  係止構造
４１  超音波カッター用安全カバー
４３  圧縮コイルバネ（付勢手段）
４７  カバー本体
６１  超音波カッター用安全カバー
６３  圧縮コイルバネ（付勢手段）
６７  カバー本体
１０１  超音波カッター
１０３  カッター本体
１０５  ホーンカバー部
１０７  カッター刃
１０９  振動子
１１０  ホーン
１１１  駆動スイッチ
２０１  超音波カッター
２０３  カッター本体
２０５  ホーン
２０７  カッター刃
２０９  振動子
２１１  駆動スイッチ
２１７  ホーンカバー部
４０１  超音波カッター
４０３  カッター本体
４０７  カッター刃
４１１  駆動スイッチ
４１２  スイッチレバー
４２７  スイッチ作動片
４２９  傾斜案内面
６０１  超音波カッター
６０３  カッター本体
６０７  カッター刃
６２７  ロック切換え片
６３１  バネ受け部
６３３  切換えバネ
６３５  安全ロック機構
Ｗ  被切断物
【図１】
2007259993.tif 000003
【図２】
2007259993.tif 000004
【図３】
2007259993.tif 000005
【図４】
2007259993.tif 000006
【図５】
2007259993.tif 000007
【図６】
2007259993.tif 000008
【図７】
2007259993.tif 000009
【図８】
2007259993.tif 000010
【図９】
2007259993.tif 000011
【図１０】
2007259993.tif 000012
【図１１】
2007259993.tif 000013
【図１２】
2007259993.tif 000014